【手続補正書】
【提出日】平成17年7月21日(2005.7.21)
【手続補正１】
【補正対象書類名】明細書
【補正対象項目名】発明の名称
【補正方法】変更
【補正の内容】
【発明の名称】画像処理装置
【手続補正２】
【補正対象書類名】明細書
【補正対象項目名】特許請求の範囲
【補正方法】変更
【補正の内容】
【特許請求の範囲】
【請求項１】
画像データを記憶する記憶手段と、
前記記憶手段に記憶された画像データに圧縮処理を行う第１の圧縮手段と、
前記記憶手段に記憶された画像データに圧縮処理を行う第２の圧縮手段と、
前記第１の圧縮手段と第１のバスを介して接続され、前記第２の圧縮手段と第２のバスを介して接続され、更に前記記憶手段と第３のバスを介して接続される接続手段とを有し、
前記接続手段は、前記第１の圧縮手段による圧縮処理と前記第２の圧縮手段による圧縮処理が並行して行われるよう、前記第１のバスと前記第３のバスを介した前記記憶手段と前記第１の圧縮手段の接続と、前記第２のバスと前記第３のバスを介した前記記憶手段と前記第２の圧縮手段の接続を同時に確立することを特徴とする画像処理装置。
【請求項２】
前記接続手段は、前記記憶手段を制御する記憶制御手段であって前記第３のバスを介して前記記憶手段と接続される記憶制御手段と、前記第１のバス及び前記第２のバスと接続されるとともに前記記憶制御手段と第４のバスを介して接続されるバス制御手段とを有し、
前記バス制御手段は、前記第１の圧縮手段による圧縮処理と前記第２の圧縮手段による圧縮処理が並行して行われるよう、前記第１のバスと前記第４のバスを介した前記記憶制御手段と前記第１の圧縮手段の接続と、前記第２のバスと前記第４のバスを介した前記記憶制御手段と前記第２の圧縮手段の接続を同時に確立することを特徴とする請求項１に記載の画像処理装置。
【請求項３】
画像データを入力する画像入力手段を有し、
前記接続手段は、前記画像入力手段と第５のバスを介して接続されるとともに、前記画像入力手段が入力した前記画像データを前記記憶手段に記憶させるために、前記第３のバスと前記第５のバスを介した前記記憶手段と前記画像入力手段の接続を確立することを特徴とする請求項１又は２に記載の画像処理装置。
【請求項４】
画像データを出力する画像出力手段を有し、
前記接続手段は、前記画像出力手段と前記第５のバスを介して接続されるとともに、前記記憶手段に記憶された前記画像データを前記画像出力手段にて出力させるために、前記第３のバスと前記第５のバスを介した前記記憶手段と前記画像出力手段の接続を確立することを特徴とする請求項３に記載の画像処理装置。
【請求項５】
前記記憶手段に記憶された画像データのデータ量を判定する判定手段を有し、
前記接続手段は、前記画像入力手段から前記記憶手段に入力された画像データのデータ量が、前記画像出力手段が所定速度で画像データを出力できる量に達したと前記判定手段が判定したことに応じて、前記第３のバスと前記第５のバスを介した前記記憶手段と前記画像出力手段の接続を確立することを特徴とする請求項４に記載の画像処理装置。
【手続補正３】
【補正対象書類名】明細書
【補正対象項目名】０００１
【補正方法】変更
【補正の内容】
【０００１】
【発明の属する技術分野】
本発明は画像処理装置に関し、例えばスキャナ等の画像入力装置とプリンタ等の画像出力装置とを効率的に制御する画像処理装置に関する。さらに詳しくは、画像データの圧縮機能を有し、画像入出力を行う画像処理装置に関する。
【手続補正４】
【補正対象書類名】明細書
【補正対象項目名】０００５
【補正方法】変更
【補正の内容】
【０００５】
本発明は、上記の問題を解決するためになされたものであり、本発明の目的は、画像データの圧縮をＣＰＵとＣＯＤＥＣの両方で同時に行うことができる画像処理装置を提供することである。
【手続補正５】
【補正対象書類名】明細書
【補正対象項目名】０００６
【補正方法】変更
【補正の内容】
【０００６】
【課題を解決するための手段】
上記の課題を解決するために本発明は、画像データを記憶する記憶手段と、前記記憶手段に記憶された画像データに圧縮処理を行う第１の圧縮手段と、前記記憶手段に記憶された画像データに圧縮処理を行う第２の圧縮手段と、前記第１の圧縮手段と第１のバスを介して接続され、前記第２の圧縮手段と第２のバスを介して接続され、更に前記記憶手段と第３のバスを介して接続される接続手段とを有し、前記接続手段は、前記第１の圧縮手段による圧縮処理と前記第２の圧縮手段による圧縮処理が並行して行われるよう、前記第１のバスと前記第３のバスを介した前記記憶手段と前記第１の圧縮手段の接続と、前記第２のバスと前記第３のバスを介した前記記憶手段と前記第２の圧縮手段の接続を同時に確立することを特徴とする。
【手続補正６】
【補正対象書類名】明細書
【補正対象項目名】０００７
【補正方法】変更
【補正の内容】
【０００７】
また、前記接続手段は、前記記憶手段を制御する記憶制御手段であって前記第３のバスを介して前記記憶手段と接続される記憶制御手段と、前記第１のバス及び前記第２のバスと接続されるとともに前記記憶制御手段と第４のバスを介して接続されるバス制御手段とを有し、前記バス制御手段は、前記第１の圧縮手段による圧縮処理と前記第２の圧縮手段による圧縮処理が並行して行われるよう、前記第１のバスと前記第４のバスを介した前記記憶制御手段と前記第１の圧縮手段の接続と、前記第２のバスと前記第４のバスを介した前記記憶制御手段と前記第２の圧縮手段の接続を同時に確立することができる。
【手続補正７】
【補正対象書類名】明細書
【補正対象項目名】０００８
【補正方法】変更
【補正の内容】
【０００８】
また、画像データを入力する画像入力手段を有し、前記接続手段は、前記画像入力手段と第５のバスを介して接続されるとともに、前記画像入力手段が入力した前記画像データを前記記憶手段に記憶させるために、前記第３のバスと前記第５のバスを介した前記記憶手段と前記画像入力手段の接続を確立することができる。
【手続補正８】
【補正対象書類名】明細書
【補正対象項目名】０００９
【補正方法】変更
【補正の内容】
【０００９】
また、画像データを出力する画像出力手段を有し、前記接続手段は、前記画像出力手段と前記第５のバスを介して接続されるとともに、前記記憶手段に記憶された前記画像データを前記画像出力手段にて出力させるために、前記第３のバスと前記第５のバスを介した前記記憶手段と前記画像出力手段の接続を確立することができる。
【手続補正９】
【補正対象書類名】明細書
【補正対象項目名】００１０
【補正方法】変更
【補正の内容】
【００１０】
また、前記記憶手段に記憶された画像データのデータ量を判定する判定手段を有し、前記接続手段は、前記画像入力手段から前記記憶手段に入力された画像データのデータ量が、前記画像出力手段が所定速度で画像データを出力できる量に達したと前記判定手段が判定したことに応じて、前記第３のバスと前記第５のバスを介した前記記憶手段と前記画像出力手段の接続を確立することができる。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００７５
【補正方法】変更
【補正の内容】
【００７５】
【発明の効果】
以上説明してきたように本発明によれば、接続手段が、第１の圧縮手段による圧縮処理と第２の圧縮手段による圧縮処理が並行して行われるよう、記憶手段と第１の圧縮手段の接続と、記憶手段と第２の圧縮手段の接続を同時に確立するようにしたため、高速に画像データを圧縮することができる。すなわち、画像データの圧縮時間を短縮できる効果がある。